(57)【要約】【課題】  画像表示装置と左右スピーカーユニットの着脱における作業性の改善、画質や音質への振動影響の改善を可能とする画像表示装置を提供する。【解決手段】  １．スピーカーユニットの上下（天部と底部）で圧縮応力を働かせて嵌合または係止する構造として、ねじ不用とした。  ２．スピーカーユニットの有無で画像表示装置の横幅が変化しない構造、または変化する場合にフロアースタンドの横幅を変化できる構造とした。  ３．スピーカーユニットを装着することで本体側の端子（切片）とが電気的に導通される構造とし、更に両者は嵌合または密着方向への応力を発生させる構造とした。  ４．スピーカーユニットの上下に画像表示装置の張り出し部を設けて直接スピーカーユニットに触れない構造、またはスピーカーユニットが押されると画像表示装置が荷重を受ける構造とした。【選択図】  図１
2009105479.tif 000002
【特許請求の範囲】
【請求項１】
文字や映像を表示する薄型画像表示部を備えた画像表示装置と、音声を再生するスピーカーを備えたスピーカーユニットで構成し、該画像表示装置の天部と底部に該スピーカーユニットとの第一の連結手段を備え、該スピーカーユニットの天部と底部に該画像表示装置との第二の連結手段を備えたことを特徴とするスピーカーユニットを備えた画像表示装置。
【請求項２】
前記第一の連結手段は上下に動作する構造と、上下方向に応力を発生する弾性手段を備えていることを特徴とする請求項１に記載のスピーカーユニットを備えた画像表示装置。
【請求項３】
前記第一の連結手段は第一の電気接続手段を有することを特徴とする請求項１に記載のスピーカーユニットを備えた画像表示装置。
【請求項４】
前記第一の連結手段は嵌合または係止する構造を有することを特徴とする請求項１に記載のスピーカーユニットを備えた画像表示装置。
【請求項５】
前記第二の連結手段第二の電気接続手段を有することを特徴とする請求項１に記載のスピーカーユニットを備えた画像表示装置。
【請求項６】
前記第一の連結手段が備える第一の電気接続手段と前記第二の連結手段が備える第二の電気接続手段とは、前記画像表示装置と前記スピーカーユニットが望ましいの位置に結合した際に電気的に接続されることを特徴とする請求項１、請求項３、又は請求項５のいずれかに記載のスピーカーユニットを備えた画像表示装置。
【請求項７】
前記第一の連結手段が備える動作する構造は、前記画像表示装置と前記スピーカーユニットが望ましいの位置に結合した際に該スピーカーユニットを上下方向から圧縮して支持することを特徴とする請求項１、又は請求項２に記載のスピーカーユニットを備えた画像表示装置。
【請求項８】
文字や映像を表示する薄型画像表示部を備えた画像表示装置と、音声を再生するスピーカーを備えたスピーカーユニットで構成し、該画像表示装置の該スピーカーユニットを装着する領域にグリルを設け、該グリルは該スピーカーユニットとは分離していることを特徴とするスピーカーユニットを備えた画像表示装置。
【請求項９】
文字や映像を表示する薄型画像表示部を備え、更に音声を再生するスピーカーを内蔵したスピーカーユニットを固定する手段を備えた画像表示装置、および該画像表示装置を支持する支持装置、以上の構成において前記画像表示装置の横幅の変更に合わせて該支持装置の横幅を変える手段を備えたことを特徴とするスピーカーユニットを備えた画像表示装置。
【請求項１０】
前記薄型表示部は液晶を用いた装置、プラズマ放電を用いた装置、電子放出素子を用いた装置、有機ＥＬ（Electro  Luminescence）を用いた装置のいずれかであることを特徴とする請求項１、請求項８、又は請求項９のいずれかに記載のスピーカーユニットを備えた画像表示装置。
【発明の詳細な説明】
【技術分野】
【０００１】
本発明は、テレビ等の画像表示装置に関するもので、特に画像表示装置とスピーカーユニットとの接続構造に関するものである。
【背景技術】
【０００２】
テレビ、コンピュータの端末、広告媒体、標識などの用途に、電子放出素子を用いた表示装置、プラズマ放電を用いた表示装置、液晶を用いた表示装置、蛍光表示管を用いた表示装置などの薄型平面型画像表示装置が用いられている。
【０００３】
更に近年注目されているのが画面サイズ４０型以上の薄型テレビであり、画面サイズが４０型や５０型でも画像表示部の奥行きが１００ｍｍ以下という省スペース性が特徴のひとつである。
【０００４】
一方、このような画像表示装置には、スピーカーユニットが内蔵されている機器またはスピーカーユニットが着脱できる機器が準備されている。本件の従来例としては後者のスピーカーユニットが着脱できる機器について図面を参照しながら説明を加える。
【０００５】
図２０は市販のＰＤＰパネルを搭載した薄型テレビを、背面側から見た斜視図である。
【０００６】
１０１はテレビ本体であり、ＰＤＰパネルと支持構造および画像表示用電気回路を内蔵し前後のカバーで筐体を構成している。１０２は右スピーカーユニットであり、内部にフルレンジスピーカーを内蔵して前面バッフル板とケースで箱体を構成している。１０３は前記１０２と左右対象構造の左スピーカーユニットである。１０４は前記テレビ本体１０１と左右スピーカーユニット１０２、１０３とを締結するための４個の取付金具であり、ねじが貫通する穴部を有する。１０５は前記取付金具１０４を介してテレビ本体１０１及び左右スピーカーユニット１０２、１０３の雌ねじに締め込まれる固定ねじである。１０６は左右スピーカーユニット１０２、１０３の背面側の凹部に設けられた音声入力端子、また１０７はテレビ本体１０１の背面側の凹部に設けられた音声出力端子である。１０８はテレビ本体１０１の音声出力端子１０７と左右スピーカーユニット１０２、１０３の音声入力端子１０６とを電気的に接続しているスピーカーケーブルである。
【０００７】
図２１は前記従来例の薄型テレビを正面から見た図であり、１０９は前記薄型テレビを床上に設置する際に利用するフロアースタンドであり、外観的には薄型テレとの統一感と安定感を表現している。１１０は前記フロアースタンド１０９の底部を構成するベース部であり、図には省力するが移動用のキャスターを床面との接地部に備えている。１１１はフロアースタンド１０９の支持部を構成する左右一対の支柱であり、下端はベース部１１０とねじ（図示せず）で締結され、上端はテレビ本体１０１の底部と嵌合部材（図示せず）を介してネジで締結されている。１１２は上下２枚で構成した透明感あるガラス製の収納棚であり、左右の端部で支柱１１１の凹部を利用して固定されている。
【０００８】
以上の構成において、まず右のスピーカーユニット１０２を取り付ける手順を説明する。まず、スピーカーユニット１０２の背面の上部雌ねじ部に取付金具１０４を当てて、固定ねじ１０５で固定する。下部雌ねじ部にも同様にして取付金具１０４を固定する。次に該スピーカーユニット１０２をテレビ本体１０１の右側面付近に持ち上げて、取付金具１０４の本体側ねじ貫通穴とテレビ本体１０１の雌ねじ部を一致させた状態で保持し、固定ねじ１０５で両者を締結する（上下の取付金具１０４共通）。左のスピーカーユニット１０３も同様の手順でテレビ本体１０１に締結する。以上で機械的な固定作業を終わり、スピーカーケーブル１０８を利用して音声入力端子１０６と音声出力端子１０７とを接続して作業を終了する。
【０００９】
音声信号を伝達するための切片であり、後述のフック１２２の電気配線部分と接触している。１２４はテレビ本体１２０のスピーカー固定部に設けた制振材であり、フック１２２を外れにくくするための圧力と摩擦力を有し、更にスピーカーが発する振動を吸収する作用を有している。１２５はフック１２２の一部に形成した電気配線部であり、右スピーカーユニット１２１内部のスピーカー（図示せず）まで結線されて音声信号を伝達する。
【００１０】
次に二つ目の先行例として、実開昭６３−０８１５７２号公報「回転式スピーカーを内蔵したテレビ受像機」を示す。
【００１１】
図２２はテレビ受像機の右スピーカー部分の縦断面図を表している。１３０はテレビ受像機であり中央部はＣＲＴを内蔵した奥行きある形状を成し、左右スピーカー部は薄くなっている。１３１はテレビ受像機１３０の左右に配置されたスピーカーボックス収納部であり、１３２はスピーカーボックス収納部１３１の前面部を構成する前面部材、１３３は同じく底部を形成する底部材、１３４は同じく背面部から側面に回りこむドアでありヒンジ（図示せず）を中心に回転可能である。１３５はすでにテレビに内蔵したスピーカーである。一方、１３６はテレビ受像機１３０から外れた位置にあるスピーカーユニットであり、１３７は該スピーカーユニット１３６を構成するスピーカーボックスであり、内部に内蔵スピーカー１３８を有する円筒形状を成している。１３９はスピーカーユニット１３６の上部に位置する方向切り替えレバーであり、スピーカーボックス１３７の上部の凹部に嵌合する。１４０は該方向切り替えレバー１３９の前方に位置し、ユーザーが操作しやすい形状を成すところのツマミ部、１４１は方向切り替えレバー１３９に形成された係合片であり、内蔵スピーカー１３８へ音声信号を伝達するための金属片から成る。１４２は該係合片１４１と接続するケーブルであり、テレビ受像機１３０内部へ配線処理される（図示省略）。
【００１２】
以上の構成において、スピーカーユニット１３６をスピーカーボックス収納部１３１へ収納するには、スピーカーボックス１３７上部に方向切り替えレバー１３９を嵌合し、ドア１３４を開いてスピーカーボックス収納部１３１へ装着してドア１３４を閉じる。ツマミ部１４０を左右に動かしてスピーカーユニット１３６を回転できる。
【特許文献１】実開昭６３−０８１５７２号公報
【発明の開示】
【発明が解決しようとする課題】
【００１３】
以上説明した先行例においては以下のような問題があった。
【００１４】
先行例一つ目のＰＤＰを搭載した薄型テレビにおいて、
（１）スピーカーユニットをテレビ本体に取り付ける作業は、スピーカーユニットを保持する人と固定ねじで締結作業する人、最低２名が必要である。
【００１５】
（２）スピーカーユニットを外した状態ではテレビ本体の横幅が、図２１の寸法Ａとなりフロアースタンドの寸法Ｂと合わなくなり、デザイン統一感が悪化する。
【００１６】
（３）薄型テレビの特徴を生かすべく壁掛け設置した場合、スピーカーケーブルの配線処理が困難である。
【００１７】
（４）スピーカーユニットを固定ねじで固定する際、トルク管理が一般ユーザーではできず、ねじの締め付けが不完全の場合、スピーカーユニット部を持ち上げるとネジ部が変形したり外れたりと、運搬や設置時の信頼性に不安が有る。
【００１８】
先行例二つ目の実開昭６３−０８１５７２号公報「回転式スピーカーを内蔵したテレビ受像機」においては、上記（１）項、（２）項、（４）項は解決できるが新たに、
（５）スピーカーユニットをスピーカーボックス収納部へ入れるだけの構造でスピーカーの振動が吸収できず、テレビ受像機も影響を受けて音質が劣化する。
【００１９】
以上述べた従来例の問題に対して、本発明は画像表示装置と左右スピーカーユニットの着脱における作業性の改善、画質や音質への振動影響の改善を主たる目的としている。
【課題を解決するための手段】
【００２０】
上記課題を解決するため以下の手段を講じた。
【００２１】
１．上下（天部と底部）のスピーカー端子（切片）の嵌合または可動ユニットとの係止構造により固定し、更に圧縮ばねで上下方向に応力を働かせる構造として、ねじを使わずにスピーカーユニットの装着をできるようにした。
【００２２】
２．画像表示装置の左右外形寸法がスピーカーユニットを有無で変化しない構造としてフロアースタンドの外形寸法と揃えたり、または画像表示装置の左右外形寸法がスピーカーユニットの有無で変化する場合にフロアースタンドの左右外形寸法をそれに合わせて変化できる可動型の化粧板を設けた。
【００２３】
３．スピーカーユニットを装着することでスピーカーユニット上下取付け部の端子（切片）と本体側の端子（切片）とが電気的に導通される構造とし、更に両者は嵌合または密着方向への応力を発生させる構造とした。
【００２４】
４．スピーカーユニットの上下には画像表示装置の張り出し部を設けて直接スピーカーユニットに触れない構造にしたり、またはスピーカーユニットが押されると画像表示装置が荷重を受ける構造とした。
【００２５】
５．スピーカーユニットの上下を画像表示装置に内蔵した端子受けを介して上下の圧縮ばねで浮いた状態に保持する構造とした。更にスピーカーユニットと画像表示装置との向かい合う外壁間に緩衝材を挟んだ。
【発明の効果】
【００２６】
本発明によれば、以下の効果を得られる。
【００２７】
１．スピーカーユニットの装着にねじを使わずに上下（天部と底部）のスピーカー端子の嵌合、または係止爪４４とスピーカーユニットの係止穴５３嵌合により固定する構造としたため、ひとりの作業者が両手でスピーカーユニットを保持しての着脱作業が可能である。
【００２８】
２．スピーカーユニットの有無で画像表示装置の左右外形寸法が変化しない構造としたり、変化してもフロアースタンドの外形寸法をそれに合わせられる構造としたため、スピーカーユニットの有無に関わらずフロアースタンドとの一体感を醸し出すことができる。
【００２９】
３．スピーカーユニットを画像表示装置に装着することで両者の端子同士（切片同士）が電気的に導通されるため、スピーカーユニットと画像表示装置間の配線作業が不用となり、特に作業空間の少ない壁掛け設置では大幅に作業性が改善される。
【００３０】
４．スピーカーユニットは上下に張り出した画像表示装置で囲まれたり、またはスピーカーユニットの受けた荷重を画像表示装置が受ける構造としたため、運搬や設置時に左右スピーカー部を安全に持つことが可能である。
【００３１】
５．スピーカーユニットの上下を画像表示装置に内蔵した圧縮ばねを利用してスピーカーユニットを浮いた状態に支持する構造としたため、スピーカーが大音量で動作した場合でもスピーカーユニットの振動を画像表示装置側に伝えずに吸収可能であるので、画像への振動影響や共振による音質への影響が抑えられる。
【発明を実施するための最良の形態】
【００３２】
次に、本発明の詳細を実施例の記述に従って説明する。
【実施例１】
【００３３】
図１は本発明の着脱構造式スピーカーユニットを備えた画像表示装置の全体構成を示す正面図である。１は内部に電子放出素子、プラズマ放電、液晶、蛍光表示管及び有機ＥＬ（Electro  Luminescence）いずれかを用いた薄型画像表示パネルを用いた画像表示装置であり、内部には上記パネルを支持する構造体や画像表示信号を発生する駆動回路、電源回路、外部入力回路を内蔵し、更に外装カバーで内部を保護する構成となっている。２は底板の左右に支柱を搭載し、該支柱間にガラス製の収納棚を構成したところのフロアースタンドであり、前記画像表示装置と横幅やデザインを合わせて一体感を表現している。３は前記画像表示装置１の画像表示領域であり、４はスピーカーユニット収納領域を示している。
【００３４】
図２は該スピーカーユニット収納領域４の縦断面図である。５はスピーカーユニット収納領域４の前面側を覆っているグリルであり、音声の振動を前方に効率よく伝えるために開口率が４０％程度の金属メッシュで形成されている。６は画像表示装置１内部より突出して更に上下方向に可動可能な上端子受けであり、電気的に絶縁性の材料で中央部に貫通穴を射出成形により形成している。７は画像表示装置１の下側に配置され更に上下方向に可動可能な下端子受けであり、電気的に絶縁性の材料で前記上端子受け６と同じ中央部に貫通穴を射出成形により形成している。８は主に樹脂製で略密閉構造を成し内部に後述のスピーカーやケーブル類を収納してなるスピーカーユニットであり、上下には貫通穴を設けている。９はスピーカーユニット８の前面側を覆うバッフル板であり、後述のスピーカーを固定するための雌ねじや開口部が設けられている。１０はフルレンジ型のスピーカーであり前記バッフル板の開口部に密着してねじ（図示せず）により固定されている。１１は前記スピーカー１０に音声信号を入力するための上ケーブル、１２は同じく前記スピーカー１０に音声信号を入力するための下ケーブルである。１３はスピーカーユニット８の天部の開口に嵌合して電気的な音声信号をスピーカーユニット内部に伝達するためのスピーカー上端子である。１４はスピーカーユニット８の底部の開口に嵌合して電気的な音声信号をスピーカーユニット内部に伝達するためのスピーカー下端子である。
【００３５】
図３は画像表示装置１のスピーカーユニット収納領域４を背面側から見た図であり、スピーカーユニット８を装着する前の状態を表している。また、図４は前記図３におけるＡＡ'断面を表している。
【００３６】
スピーカーユニット収納領域４に対してスピーカーユニット８を画像表示装置１の側面側から収納する開口部を有しており、上下に可動可能な上端子受け６と下端子受け７とにスピーカーユニット８の天部と底部が密着して支持される。１５は画像表示装置１側に配置された下端子受け７の中央部の貫通穴に配置された本体下端子であり、導電性の金属をプレス加工により凹部を有する筒状に形成し、該凹部には前記スピーカー下端子１４が嵌合する構造である。１６は樹脂材料を射出成形により略Ｌ字型に形成したカバーであり、スピーカーユニット収納領域４にスピーカーユニット８を収納した後に装着して、スピーカーユニット８を覆って外観性を高めるための部品である。
【００３７】
図５、図６、図７はスピーカーユニット８をスピーカーユニット収納領域４に収納する手順を示す縦断面図、後方側から見た底部付近の図である。
【００３８】
図５はスピーカーユニット８を傾けてスピーカー下端子１４を本体下端子１５に差し込む状況を表している。この時下端子受け７は圧縮ばね１７により最も突出した状態となっている。
【００３９】
図６はスピーカー下端子１４を本体下端子１５の奥までに差し込みが完了した状況を表している。次の動作で図には示さないが、スピーカーユニット８の天部側スピーカー上端子１３を画像表示装置１側の上端子受け６中央に設けられた本体上端子の凹部に差し込むために、スピーカーユニット８を最も下げた位置に保持している。そのため前記圧縮ばね１７は最も圧縮した状態となっている。１８は下端子受け７のフランジ部であり、画像表示部１のガイド部１９により水平方向の動きが規制され、ストッパー部２０により上方向への動きが規制されている。２１はばね固定部であり前記圧縮ばねを固定している部分で下端子受け７の下方向への動きを規制している。
【００４０】
図７はスピーカーユニット８天部側のスピーカー上端子１３と本体上端子（図示せず）との嵌合も完了した、いわゆるスピーカーユニット８の装着状態を表している。２２は画像表示装置１内部のオーディオ回路（図示せず）からの音声信号を本体下端子１５へ伝達するための本体ケーブルである。以上説明したスピーカーユニット８の底部の嵌合構造、つまり画像表示装置１側の圧縮ばね１７やガイド部１９、ストッパー部２０の構造は天部側も共通であり図示を省略した。
【００４１】
尚、スピーカーユニット８を外す場合は図７から図５の状態に逆の作業を行えばよい。
【００４２】
また、前記の説明ではスピーカーユニット８の装着に底部側から嵌合させる作業を示したが、先に天部側を嵌合させた後に底部側を嵌合させても良い。
【００４３】
以上説明した本発明のスピーカー着脱構造の特徴について説明を加える。
【００４４】
１．スピーカーユニット８の装着にねじを使わずに上下（天部と底部）のスピーカー端子１３，１４の嵌合により固定し、更に圧縮ばねを内蔵した端子受け６、７で支持する構造であるため、ひとりの作業者が両手で前記スピーカーユニット８を保持して作業が可能である。
【００４５】
２．画像表示装置１の左右外形とフロアースタンド２の外形は、スピーカーユニット８の有無に関わらず同一にできるため一体感を有する。
【００４６】
３．スピーカーユニット８を装着することで本体側の端子と電気的に導通されるため、スピーカーユニット８と画像表示装置１のオーディオ回路との配線作業が不用となり、画像表示装置１の設置状態に関わらずスピーカーケーブル配線処理は不用である。
【００４７】
４．スピーカーユニット８は画像表示装置１のスピーカーユニット収納領域４内部に装着されるため、画像表示装置１の運搬や設置時に左右スピーカー部を安全に持つことが可能である。
【００４８】
５．スピーカーユニット８を画像表示装置１に装着した状態においては、上端子受け６と下端子受け７を介して上下の圧縮ばねで浮いた状態になっている。そのためにスピーカー１０が大音量で動作した場合でもスピーカーユニット８の振動を画像表示装置１側に伝えずに吸収可能であるので、画像への振動影響や共振による音質への影響が抑えられる。
【実施例２】
【００４９】
図８は本発明の着脱構造式スピーカーユニットを外した状態の画像表示装置の全体構成を示す正面図であり、図９は本発明の着脱構造式スピーカーユニットを外した状態の画像表示装置を支持するフロアースタンドの平面図である。両図において、３０は内部に電子放出素子、プラズマ放電、液晶、蛍光表示管及び有機ＥＬ（Electro  Luminescence）いずれかを用いた薄型画像表示パネルを用いた画像表示装置であり、内部には上記パネルを支持する構造体や画像表示信号を発生する駆動回路、電源回路、外部入力回路を内蔵し、更に外装カバーで内部を保護する構成となっている。３１は前記画像表示装置３０の画像表示領域であり表面は反射防止処理を施したガラスで構成されている。３２は４箇所の角部に配置したスピーカーユニット取り付け部であり、スピーカーユニットを外した状態では外観性を有するカバーで覆われている。３３は前記画像表示装置３０を床面に支持可能なフロアースタンドであり、剛性を有する構造材（図示せず）の表面に外観性を有する金属製カバーを設けた底板３４、該底板３４の左右に剛性を有する構造材（図示せず）の表面に外観性を有する樹脂カバーを配した支柱３６を搭載し、該支柱３６間にガラス製の収納棚３５を構成している。３７は左側の前記支柱３６の側面部に回転可能にヒンジ３８を利用して配置した化粧板左であり、対向する右側には同じくヒンジ３８を利用して化粧板右３９が回転可能に配置されている。以上の構成において、画像表示装置３０とフロアースタンド３３とは横幅やデザインを合わせて一体感を表現している。
【００５０】
図１０は本発明の着脱構造式スピーカーユニットを装着した状態の画像表示装置の全体構成を示す正面図であり、図１１は本発明の着脱構造式スピーカーユニットを装着した状態の画像表示装置を支持するフロアースタンドの平面図である。両図において、４０はスピーカーユニット取付け部３２の上下カバーを開いて装着したスピーカーユニット右であり、略密閉構造の箱体の前方にバッフル板を設けてスピーカーを固定し、更に前面を化粧用グリルで覆っている。一方画像表示装置３０の左側面側では、同じくスピーカーユニット取付け部３２の上下カバーを開いてスピーカーユニット左４１を装着しており、構造はスピーカーユニット右４０と同様である。上記スピーカーユニット４０，４１の固定構造は後述する。本両図においては化粧板左３７と化粧板右３９を手前に９０°横幅が開く方向に回転させている。この開いた位置において、前記スピーカーユニット４０，４１を装着した画像表示装置３０の横幅が一致して、かつ化粧板左３７と化粧板右３９平面部のデザインをスピーカーユニット４０，４１と一致させることで、画像表示装置３０とフロアースタンド３３の一体感が生まれる。
【００５１】
図１２はスピーカーユニット取付け部３２の右上部を後方から見た拡大斜視図である。カバーを開いて内部構造を示している。同図において、４２は後述の内部構成により上下動が可能で常に上方向へ荷重が掛かった状態の可動ユニットである。４３は該可動ユニット４２の側面２箇所に形成された斜面であり、更に４４は該可動ユニット４２の天面２箇所に形成された係止爪であり、斜面４３係止爪４４両者は射出成形で一体的に形成された樹脂製の部品である。４５は前記可動ユニット４２の中央付近の凹部に配置された第一の切片であり、導電性の金属片をプレス加工により形状を作った後に前記可動ユニット４２の射出成形時にインサート成形を行って周辺の樹脂材料に強固に固定されている。画像表示装置３０内部のオーディオ回路（図示せず）からの音声信号を配線ケーブルを通じてスピーカーユニット右４０に伝達するための部材である。４６はスピーカーユニット取付け部３２の後方に配置した解除つまみであり、装着状態のスピーカーユニット右４０を外す際に下方向へ動かすことで前記可動ユニット４２が連動する構造となっている。
【００５２】
図１３はスピーカーユニット取付け部３２の右上部と、スピーカーユニット右４０の天部付近を正面から見た縦断面図であり、図１４は前記スピーカーユニット取付け部３２の右上部と、スピーカーユニット右４０の天部付近を右側面から見た縦断面図である。両図はスピーカーユニット右４０がスピーカーユニット取付け部３２に装着された状態を示している。４７は前記可動ユニット４２の底面に嵌合締結し上方向へ応力を発生するところの圧縮ばねであり、４８は画像表示装置３０内部の構造材であり該圧縮ばね４７の底部を固定しているばね固定部である。４９は前記可動ユニット４２の中央付近を前後に貫通し、更に後方端部付近で前記解除つまみと締結している金属製の摺動軸であり、可動ユニット４２を射出成形する際にインサート成形によって強固に締結される。５０は画像表示装置３０内部の前方側壁面に設けられたガイド溝であり、前記摺動軸４９の前方端部が該ガイド溝５０に嵌合して摺動できるように上下方向に延びている。５１は画像表示装置３０内部の後方側壁面に設けられたガイド穴であり、前記摺動軸４９の後方部が該ガイド穴５１に嵌合して摺動できるように上下方向に延びている。５２はスピーカーユニット右４０の内部から図示の壁面を貫通して外部に延びる第二の切片５２であり、導電性を有する金属板をプレス加工により所望の形状に製作している。本図のようにスピーカーユニット右４０が画像表示装置３０に装着状態では画像表示装置３０の第一の切片４５と機械的、電気的に接触状態となり、スピーカーユニット４０内部のスピーカー（図示せず）へ配線ケーブル（図示せず）を介して音声信号を伝達する。５３は前記スピーカーユニット右４０の天部突出部分の内側に２箇所形成した凹形状の係止穴であり、本図のようにスピーカーユニット右４０が画像表示装置３０に装着状態では可動ユニット４２の係止爪４４と係止状態となる。
【００５３】
図１５はスピーカーユニット取付け部３２の右上部と、スピーカーユニット右４０の天部付近を正面から見た縦断面図であり、スピーカーユニット右４０が斜面４３に当接している状態を示している。５４はスピーカーユニット取付け部３２の天部構造体の一部が凸形状を成すところの上昇ストッパーであり、前記可動ユニット４２の上昇位置を制限する構造である。
【００５４】
図１６はスピーカーユニット取付け部３２の右上部と、スピーカーユニット右４０の天部付近を正面から見た縦断面図であり、図１７は前記スピーカーユニット取付け部３２の右上部を右側面から見た縦断面図である。両図はスピーカーユニット右４０がスピーカーユニット取付け部３２から外された状態を示している。５５は画像表示装置３０の右側面に露出し上下方向に長く延びた緩衝材であり、柔軟性を有する発泡体からなり、スピーカーユニット右４０を画像表示装置３０に装着した状態においては両者に挟まれて圧縮状態を維持される寸法となっている。
【００５５】
ここで図１３、図１４両図のスピーカーユニット装着状態、図１５の装着直前状態、図１６、図１７の離脱状態の各図を用いて、以上説明したスピーカーユニット右４０の着脱における各機構の動作について説明を加える。
【００５６】
（１）装着状態；スピーカーユニット右４０の装着状態においては、外れ防止のために可動ユニット４２の係止爪４４とスピーカーユニット右４０の係止穴５３が係止状態となり、さらに圧縮ばね４７の応力によって上記係止状態は強固となる。音声信号を伝達する第一の切片４５と第二の切片５２とは互いに弾性変形による内部応力を発生して接触圧力を強固かつ柔軟に密着し、信頼性の高い電気的接触構造となっている。画像表示装置３０とスピーカーユニット４０の向かい合う外壁間には緩衝材５５を挟み、かつ若干の緩衝材圧縮状態を維持しており、スピーカーユニット４０の発するスピーカー（図示せず）の振動は該緩衝材５５で吸収される。また、スピーカーユニット右４０を外す場合は後方部の解除つまみ４６を下げて連動する可動ユニット４２を下げ、係止爪４４と係止穴５２の係止状態を解除すれば離脱方向への移動が可能となる。
【００５７】
（２）装着直前状態；スピーカーユニット右４０の突起部が可動ユニット４２の斜面４３と当接することにより、可動ユニット４２は圧縮ばね４７のばね力に反して下降を始める。
【００５８】
（３）離脱状態；上昇ストッパーにより可動ユニット４２は最上昇位置で待機状態を維持し、それに連動する解除つまみ４６は最上昇位置となる。第一の切片４５と第二の切片５２はプレス加工で製作した形状を維持しているため、互いに内部応力は発生していない。緩衝材５５も製作した部品形状を維持している。
【００５９】
図１２から図１７まで６枚の図面を使って、画像表示装置３０の右上部のスピーカーユニット取り付け部３２付近の構造と動作の説明をしたが、それらの構造は右下部のスピーカーユニット取り付け部３２付近も上下対象構造で動作は同一であるために説明を省略した。また、画像表示装置３０の左側のスピーカーユニット取り付け部３２付近の構造は前記説明の構造と左右対称構造であり動作が同じのために説明を省略する。
【００６０】
最後に図１８と図１９の後方からの斜視図を使ってスピーカーユニット取り付け部３２のカバー構造の説明をする。カバー５６を開いた状態では可動ユニット４２が露出し、スピーカーユニット右４０が装着可能な状態である。カバー５６を閉じた状態では画像表示装置３０の側面部にわずかに可動ユニット４２が覗ける状態となる。カバー５６の支持構造は画像表示装置３０側に設けたレール溝５８と、カバー５６側に設けた凸部５７との嵌合によっている。
【００６１】
以上説明した本発明のスピーカー着脱構造の特徴について説明を加える。
【００６２】
１．スピーカーユニット４０、４１の装着にねじを使わずに、画像表示装置３０の可動ユニット４２の係止爪４４とスピーカーユニットの係止穴５３嵌合により固定し、さらに圧縮ばね４７で上下方向に応力を働かせる構造であるため、ひとりの作業者が両手で前記スピーカーユニット４０、４１を保持して着脱作業が可能である。
【００６３】
２．フロアースタンド３３の左右外形は、スピーカーユニット４０、４１の装着状態で化粧板３７、３９を開き、離脱状態では化粧板３７、３９を閉じることで画像表示装置３０の左右外形と同一、且つ同一デザインにできるため一体感を有する。
【００６４】
３．スピーカーユニット４０、４１を装着することで第二の切片５２と画像表示装置３０側の第一の切片４５と電気的に導通されるため、スピーカーユニット４０、４１と画像表示装置３０とのオーディオ回路との配線作業が不用となり、画像表示装置３０の設置状態に関わらずスピーカーケーブル配線処理は不用である。
【００６５】
４．スピーカーユニット４０、４１は画像表示装置３０に対して上下の凸部が入り込む構造であるため、画像表示装置３０の運搬や設置時に左右スピーカー部を安全に持つことが可能である。
【００６６】
５．スピーカーユニット４０、４１を画像表示装置３０に装着した状態においては、可動ユニット４２を介して上下の圧縮ばね４７で浮いた状態になっていて、更にスピーカーユニット４０、４１と画像表示装置３０との向かい合う外壁間に緩衝材５５を挟んだ。そのためにスピーカー４０，４１が大音量で動作した場合でもスピーカーの振動を画像表示装置３０側に伝えずに吸収可能であるので、画像への振動影響や共振による音質への影響が抑えられる。
【図面の簡単な説明】
【００６７】
【図１】本発明の着脱構造式スピーカーユニットを備えた画像表示装置の全体構成を示す正面図である。
【図２】スピーカーユニット収納領域の縦断面図である。
【図３】画像表示装置のスピーカーユニット収納領域を背面側から見た図であり、スピーカーユニットを装着する前の状態を表している。
【図４】前記図３におけるＡＡ'断面を表している。
【図５】スピーカーユニットをスピーカーユニット収納領域に収納する手順を示す縦断面図、後方側から見た底部付近の図である。装着はじめの状態。
【図６】スピーカーユニットをスピーカーユニット収納領域に収納する手順を示す縦断面図、後方側から見た底部付近の図である。装着途中の状態。
【図７】スピーカーユニットをスピーカーユニット収納領域に収納する手順を示す縦断面図、後方側から見た底部付近の図である。装着完了の状態。
【図８】本発明の着脱構造式スピーカーユニットを外した状態の画像表示装置の全体構成を示す正面図である。
【図９】本発明の着脱構造式スピーカーユニットを外した状態の画像表示装置を支持するフロアースタンドの平面図である。
【図１０】本発明の着脱構造式スピーカーユニットを装着した状態の画像表示装置の全体構成を示す正面図である。
【図１１】本発明の着脱構造式スピーカーユニットを装着した状態の画像表示装置を支持するフロアースタンドの平面図である。
【図１２】スピーカーユニット取付け部の右上部を後方から見た拡大斜視図である。
【図１３】スピーカーユニット取付け部の右上部と、スピーカーユニット右の天部付近を正面から見た縦断面図である。
【図１４】スピーカーユニット取付け部の右上部と、スピーカーユニット右の天部付近を右側面から見た縦断面図である。
【図１５】スピーカーユニット取付け部の右上部と、スピーカーユニット右の天部付近を正面から見た縦断面図である。
【図１６】スピーカーユニット取付け部の右上部と、スピーカーユニット右の天部付近を正面から見た縦断面図である。
【図１７】スピーカーユニット取付け部の右上部を右側面から見た縦断面図である。
【図１８】画像表示装置の後方からの斜視図であり、カバーを開いた状態を表す。
【図１９】画像表示装置の後方からの斜視図であり、カバーを閉めた状態を表す。
【図２０】市販のＰＤＰパネルを搭載した薄型テレビを、背面側から見た斜視図である。
【図２１】前記従来例の薄型テレビを正面から見た図である。
【図２２】テレビ受像機の右スピーカー部分の縦断面図である。
【符号の説明】
【００６８】
１  画像表示装置
２  画像表示領域
３  フロアースタンド
４  スピーカーユニット収納領域
５  グリル
６  上端子受け
７  下端子受け
８  スピーカーユニット
９  バッフル板
１０  スピーカー
１１  上ケーブル
１２  下ケーブル
１３  スピーカー上端子
１４  スピーカー下端子
１５  本体下端子
１６  カバー
１７  圧縮ばね
１８  フランジ部
１９  ガイド部
２０  ストッパー部
２１  ばね固定部
２２  本体ケーブル
３０  画像表示装置
３１  画像表示領域
３２  スピーカーユニット取付け部
３３  フロアースタンド
３４  底板
３５  収納棚
３６  支柱
３７  化粧板左
３８  ヒンジ
３９  化粧板右
４０  スピーカーユニット右
４１  スピーカーユニット左
４２  可動ユニット
４３  斜面
４４  係止爪
４５  第一の切片
４６  解除つまみ
４７  圧縮ばね
４８  ばね固定部
４９  摺動軸
５０  ガイド溝
５１  ガイド穴
５２  第二の切片
５３  係止穴
５４  上昇ストッパー
５５  緩衝材
５６  カバー
５７  凸部
５８  レール溝
１０１  テレビ本体
１０２  右スピーカーユニット
１０３  左スピーカーユニット
１０４  取付金具
１０５  固定ねじ
１０６  音声入力端子
１０７  音声出力端子
１０８  スピーカーケーブル
１０９  フロアースタンド
１１０  ベース部
１１１  支柱
１１２  収納棚
１３０  テレビ受像機
１３１  スピーカーボックス収納部
１３２  前面部材
１３３  底部材
１３４  ドア
１３５  スピーカー
１３６  スピーカーユニット
１３７  スピーカーボックス
１３８  内蔵スピーカー
１３９  方向切り替えレバー
１４０  ツマミ部
１４１  係合片
１４２  ケーブル
【図１】
2009105479.tif 000003
【図２】
2009105479.tif 000004
【図３】
2009105479.tif 000005
【図４】
2009105479.tif 000006
【図５】
2009105479.tif 000007
【図６】
2009105479.tif 000008
【図７】
2009105479.tif 000009
【図８】
2009105479.tif 000010
【図９】
2009105479.tif 000011
【図１０】
2009105479.tif 000012
【図１１】
2009105479.tif 000013
【図１２】
2009105479.tif 000014
【図１３】
2009105479.tif 000015
【図１４】
2009105479.tif 000016
【図１５】
2009105479.tif 000017
【図１６】
2009105479.tif 000018
【図１７】
2009105479.tif 000019
【図１８】
2009105479.tif 000020
【図１９】
2009105479.tif 000021
【図２０】
2009105479.tif 000022
【図２１】
2009105479.tif 000023
【図２２】
2009105479.tif 000024